(57)【要約】      （修正有）【課題】コンピューター筐体に適用される筐体閉鎖具を提供する。【解決手段】筐体閉鎖具２は、筐体を開閉するためのアクチュエーション・デバイス８と、アクチュエーション・デバイス８を筐体の一部に回転可能または枢動可能に留めるための受け入れデバイス３と、アクチュエーション・デバイス８を受け入れデバイス３に機械的に結合するためのピン様の接続要素７とを有する。ピン様の接続要素７は、放射方向に延在する少なくとも一つのラッチ要素１１を有する。アクチュエーション・デバイス８および／または受け入れデバイス３は、少なくとも一つの弾性固定要素１５を有し、該弾性固定要素は、ピン様の接続要素７がアクチュエーション・デバイス８の結合のために受け入れデバイス３に完全に挿入されるときに、ピン様の接続要素７のラッチ要素１１が弾性固定要素１５とラッチするよう構成される。【選択図】図２
2018125532.tif 000002
【特許請求の範囲】
【請求項１】
電子装置の筐体のための筐体閉鎖具であって：
・前記筐体を開くことおよび／または閉じることのためのアクチュエーション・デバイスと；
・前記アクチュエーション・デバイスを前記筐体の一部に回転可能または枢動可能に留めるための受け入れデバイスと；
・前記アクチュエーション・デバイスを前記受け入れデバイスに機械的に結合するためのピン様の接続要素とを有しており、
前記ピン様の接続要素は、放射方向に延在する少なくとも一つのラッチ要素を有し、
前記アクチュエーション・デバイスおよび／または前記受け入れデバイスは、少なくとも一つの弾性固定要素を有し、該弾性固定要素は、前記ピン様の接続要素が前記アクチュエーション・デバイスの結合のために前記受け入れデバイスに完全に挿入されるときに、前記ピン様の接続要素の前記ラッチ要素が前記弾性固定要素とラッチするよう構成され、配置される、
筐体閉鎖具。
【請求項２】
前記ピン様の接続要素および／または前記受け入れデバイスは、金属材料またはプラスチック材料で形成され、前記アクチュエーション・デバイスは、プラスチック材料で形成される、請求項１記載の筐体閉鎖具。
【請求項３】
前記弾性固定要素は、前記アクチュエーション・デバイスまたは前記受け入れデバイスに成形された固定リブとして形成され、前記放射方向に延在するラッチ要素は少なくとも一つの出っぱりまたはへこみを有する、請求項１記載の筐体閉鎖具。
【請求項４】
前記ラッチ要素は本質的には、挿入方向において前に位置する斜角面をもつ円周状の出っぱりとして形成される、請求項１記載の筐体閉鎖具。
【請求項５】
前記ピン様の接続要素は、挿入方向において前に位置する、第一の外径をもつ少なくとも一つの第一の部分と、挿入方向において該第一の部分の後に位置する、第二の外径をもつ少なくとも一つの第二の部分とを有しており、前記第二の外径は前記第一の外径より大きく、突き出ている前記ラッチ要素は前記第一の部分に配置される、請求項１記載の筐体閉鎖具。
【請求項６】
前記ピン様の接続要素は、挿入方向において前記第二の部分の後に位置する、第三の外径をもつ少なくとも一つの第三の部分を有し、前記第三の外径は前記第二の外径より大きい、請求項５記載の筐体閉鎖具。
【請求項７】
前記受け入れデバイスは、前記ピン様の接続要素を取り付けるための少なくとも二つの開口を有し、第一の開口の内径は本質的には前記第一の部分の外径に対応し、第二の開口の内径は本質的には前記第二の部分の外径に対応する、請求項５記載の筐体閉鎖具。
【請求項８】
前記受け入れデバイスは、本質的にU字形に形成されており、前記第一の開口は第一のU脚内に配置され、前記第二の開口は前記第一のU脚とは反対側の第二のU脚内に配置される、請求項７記載の筐体閉鎖具。
【請求項９】
前記弾性固定要素は、前記第一の開口もしくは前記第二の開口の領域内および／または前記第一の開口および前記第二の開口の間の領域内に配置される、請求項７記載の筐体閉鎖具。
【請求項１０】
ロック可能な側壁をもつ電子装置のコンピューター筐体においての請求項１記載の筐体閉鎖具の使用であって、前記受け入れデバイスが前記側壁に固定され、アクチュエーション時に、前記アクチュエーション・デバイスが前記側壁のロックを解放する、使用。
【発明の詳細な説明】
【技術分野】
【０００１】
本発明は、電子装置の筐体についての、特にコンピューター筐体についての筐体閉鎖具（casing  closure）であって、筐体を開くことおよび／または閉じることのためのアクチュエーション・デバイスを含むものに関する。本発明はさらに、そのような筐体閉鎖具の、ロック可能な筐体カバーをもつ電子装置の筐体における使用に関する。
【背景技術】
【０００２】
従来技術から、電子装置の筐体のためにさまざまな筐体閉鎖具が知られている。開閉されるために対応する道具を必要とする単純なねじによる閉鎖のほかに、回転可能または枢動可能なアクチュエーション・デバイスをもつ、他の道具不要の動作可能な筐体閉鎖具も知られている。そのようなアクチュエーション・デバイスを受け入れデバイスに取り付けるとき、ピンのような接続要素が一般に、機械的結合のために用いられて、アクチュエーション・デバイスの回転軸または枢動軸をなす。アクチュエーション・デバイスの構成に依存して、これは、そのような接続要素を部分的または完全に覆い、そのため、安全ワッシャまたは安全スプリントによる、アクチュエーション・デバイスの下での接続要素の固定は、苦労してようやく可能となる。これは、特にコンピューターのような電子装置の大量生産においては不都合である。
【発明の概要】
【発明が解決しようとする課題】
【０００３】
本発明の根底にある目的は、電子装置の筐体のための筐体閉鎖具であって、上記の問題を解決または最小化するものを記述することである。特に、取り付けるのが簡単な筐体閉鎖具が記述される。
【課題を解決するための手段】
【０００４】
上記の目的は、電子装置の筐体のための、特にコンピューター・システムのための筐体閉鎖具であって、筐体を開くことおよび／または閉じることのためのアクチュエーション・デバイスと、アクチュエーション・デバイスを筐体の一部に回転可能または枢動可能に留めるための受け入れデバイスと、受け入れデバイス上でのアクチュエーション・デバイスの機械的結合のためのピン様の接続要素とを含む筐体閉鎖具を通じて達成される。ここで、ピン様の接続要素は、放射方向に（in  radial  direction）延在する少なくとも一つのラッチ要素を有する。アクチュエーション・デバイスおよび／または受け入れデバイスは、少なくとも一つの弾性固定要素を有する。該弾性固定要素は、ピン様の接続要素がアクチュエーション・デバイスの結合のために受け入れデバイスに完全に挿入されるときに、ピン様の接続要素のラッチ要素が弾性固定要素とラッチする／ひっかかるよう構成され、配置される。
【０００５】
ピン様の接続要素上に突き出たまたはへこんだラッチ要素を設け、アクチュエーション・デバイスおよび／または受け入れデバイス上に弾性固定要素を設けることを通じて、特に安全ワッシャまたは安全スプリントのような接続要素を固定するための追加的なパーツを設けずにすむ。ピン様の接続要素の導入のほかは、筐体閉鎖具の取り付けのために追加的な段階は必要とされない。よって、受け入れデバイスにアクチュエーション・デバイスを取り付けることは、著しく単純化される。
【０００６】
少なくとも一つの実施形態では、ピン様の接続要素および／または受け入れデバイスは、金属材料またはプラスチック材料から形成され、高い機械的安定性を保証する。少なくとも一つの実施形態では、アクチュエーション・デバイスは、プラスチック材料で形成され、魅力的なデザインを可能にする。
【０００７】
少なくとも一つの実施形態では、弾性固定要素は、アクチュエーション・デバイスまたは受け入れデバイスに対して一体的に形成された固定リップ（rip）として構成され、放射方向に延在するラッチ要素は少なくとも一つの突起または凹部をなす。このようにして、固定要素は単純に、アクチュエーション・デバイスと一体で、たとえば射出成形されたパーツとして作り出すことができ、それは、接続要素の突起の背後でラッチするまたは固定要素の凹部に係合する。たとえば、ラッチ要素は、挿入方向において前面に斜角面（chamfer）をもつ円周状の突起として構成されることができる。
【０００８】
少なくとも一つの実施形態では、ピン様の接続要素は、挿入方向において前に位置する、第一の外径をもつ少なくとも第一の部分と、挿入方向において該第一の部分の背後に位置する、第二の外径をもつ少なくとも第二の部分とを有しており、第二の外径は第一の外径より大きく、突き出ているラッチ要素は第一の部分に配置される。そのような構成は、特に、第一の部分において突き出ているラッチ要素が単純に、第二の部分に対応する直径をもつ対応する開口を通じて案内されることができることを可能にする。
【０００９】
少なくとも一つの実施形態では、ピン様の接続要素は、挿入方向において第二の部分の背後に位置する、第三の外径をもつ少なくとも一つの第三の部分を有し、第三の外径は第二の外径より大きい。そのような第三の部分は、特に、ピン様の接続要素の完全に挿入された位置におけるストッパーを画定するはたらきをする。
【００１０】
少なくとも一つの実施形態では、受け入れデバイスは、ピン様の接続要素を格納するための少なくとも二つの開口を有し、第一の開口の内径は第一の部分の外径に実質的に対応し、第二の開口の内径は第二の部分の外径に実質的に対応する。たとえば、受け入れデバイスは、実質的にU字形に構成されることができ、第一の開口は第一のU脚内に配置されることができ、第二の開口は第一のU脚とは反対側の第二のU脚内に配置されることができる。受け入れデバイスのそのような構成は、アクチュエーション・デバイスの単純かつ安定な受け入れを可能にする。
【００１１】
少なくとも一つの実施形態では、弾性固定要素は、第一または第二の開口の領域内および／または第一および第二の開口の間の領域内に配置される。このようにして、弾性固定要素はアクチュエーション・デバイスおよび／または受け入れデバイスによって覆われ、弾性固定要素の損傷または意図しないゆるみが回避される。
【００１２】
開示される筐体閉鎖具は、ロック可能な筐体カバー（ドイツ語でGeh¨ausedeckel；「筐体ふた」ともいう）をもつ電子装置の筐体において使うのに好適である。ここで、受け入れデバイスは筐体カバーに固定され、アクチュエーション・デバイスはアクチュエーション時に筐体カバーのロックを解放する。本筐体閉鎖具は、ロック可能なサイド・パネルをもつコンピューター筐体を閉じるために特に好適である。
【００１３】
本発明のさらなる実施形態が、従属請求項において、また以下の詳細な説明において開示される。
【図面の簡単な説明】
【００１４】
本発明は、以下で、図面を参照して例示的実施形態によって詳細に記載される。
【図１】筐体閉鎖具がその上に配置された電子装置の筐体カバーを示す図である。
【図２】第一の取り付け段階における本発明のある実施形態に基づく筐体閉鎖具を示す図である。
【図３】図２に基づく筐体閉鎖具を第二の取り付け段階において示す図である。
【図４】図２に基づく筐体閉鎖具を第三の取り付け段階において示す図である。
【発明を実施するための形態】
【００１５】
図１は、電子装置の筐体の一部を示している。特に、図１は、コンピューター筐体の筐体カバー１を示している。筐体カバー１は、筐体閉鎖具２により、コンピューター筐体の別の部分（図示せず）にロックされることができる。
【００１６】
図２は、筐体閉鎖具２の詳細な表現である。筐体閉鎖具２は特に、筐体カバー１に留められる金属ブラケット（bracket）の型の受け入れデバイス３を含む。たとえば、受け入れデバイス３は筐体カバー１にリベット留めまたはねじ留めされることができる。受け入れデバイス３は、この目的のために、表面領域４およびそれに垂直に配置された二つの脚部５ａおよび５ｂを有する。脚部５ａおよび５ｂは互いに平行に配置されており、それにより、表面領域４と一緒に、実質的にU字形の金属ブラケットを形成する。脚部５ａおよび５ｂのそれぞれにおいて、開口６ａ（図２では覆われている）または６ｂがそれぞれ配置される。
【００１７】
開口６ａおよび６ｂは、ピン様の接続要素７として構成された回転軸を受け入れるはたらきをする。例示的実施形態では、接続要素はその長手軸に対して回転対称に構成される。図２に示されるように、ピン様の接続要素７は、受け入れデバイス３の開口６ｂおよび６ａならびにプラスチック・レバーの形のアクチュエーション・デバイス８の対応する開口９ｂおよび９ａを通じて案内される。ここで、アクチュエーション・デバイス８の開口９ａおよび９ｂの内径は、受け入れデバイス３の対応する開口６ａおよび６ｂの内径に実質的に対応する。のちに詳細に述べるように、第一の開口６ａおよび９ａの内径は、第二の開口６ｂおよび９ｂの内径とは異なる。
【００１８】
図２でさらに見きわめられるように、アクチュエーション・デバイス８は、接続要素７の長手軸のまわりに枢動させられることができる。電子装置の筐体の閉じた状態では、アクチュエーション・デバイス８のロック要素１０はここで筐体カバー１の対応する開口を通過し、そのロックを引き起こす。アクチュエーション・デバイス８が逆にアクチュエーション方向Rにおいて離れるほうに（図２では後方に）傾けられる場合には、対応するロックが解放される。
【００１９】
図２ないし図４に示されるように、ピン様の接続要素７は、放射方向に突き出ているラッチ要素１１を有する。突き出ているラッチ要素１１は接続要素７が受け入れ要素３の開口６ａおよび６ｂやアクチュエーション・デバイス８の開口９ａおよび９ｂからすべり出ないよう固定する。
【００２０】
この例示的実施形態では、接続要素７は段差のある仕方でデザインされている。ここで、ラッチ要素１１は、挿入方向において前に位置する接続要素７の第一の部分１２に配置されている。ここで、ラッチ要素１１の最大の外径は、第一の部分の背後に位置する接続要素の第二の部分１３の外径にほぼ対応する。接続要素７はヘッドの形の第三の部分１４で終わる。該第三の部分は、ピン様の接続要素７が受け入れデバイス３の第二の開口６ｂを通じて完全に進入することを防止する。図示した例示的実施形態では、受け入れデバイス３の第一の開口６ａおよびアクチュエーション・デバイス８の対応する第一の開口９ａの内径は、第二の開口６ｂおよび関連する第二の開口９ｂの内径より小さく、第一の部分１２または第二の部分１３の外径に実質的に対応する。たとえば、第一の開口６ａおよび９ａの直径は約2.5mmであり、第二の開口６ａおよび９ｂの直径は約3.5mmである。換言すれば、受け入れデバイス３およびアクチュエーション・デバイス８は非対称的に構成されており、よって接続要素７が筐体閉鎖具２に完全に挿入されることができるのは、所定の方向においてのみである。
【００２１】
接続要素７を受け入れ要素３およびその中に配置されているアクチュエーション・デバイス８に導入する間、ラッチ要素１１は、（釣り針などの）返しのように、射出成形された安全リブ（rib）の形の、アクチュエーション・デバイス８上に配置された弾性固定要素１５の背後で、ラッチする。このプロセスは、図３および図４の部分拡大図において具体的に示される。図３の部分拡大図Ａでは、ラッチ要素１１が挿入方向Eにおいて前方を向く斜角面１６を有することが認識される。接続要素７の挿入時、この斜角面１６が固定要素１５を弾性的に曲げる。ラッチ要素１１が固定要素１１を過ぎてスライドされると、弾性固定要素１１はその負荷のない位置にはね戻り、それにより接続要素７を図４およびその部分拡大図Ｂに示されるような完全に挿入された状態にロックする。よって、さらなる固定手段、特に接続要素７の第一の部分１２の先端での安全スプリントまたは安全ワッシャを設けずにすむ。
【００２２】
図２ないし図４に表わされる例示的実施形態では、固定要素１５は挿入方向Eにおいて前に位置する接続要素７の第一の部分１２の前記領域内に、すなわち受け入れデバイス３の第一の開口６ａまたはアクチュエーション・デバイス８の第一の開口９ａの領域に、位置される。固定要素１５はもちろん、アクチュエーション・デバイス８の開口６ａ、６ｂ、９ａまたは９ｂのうちの一つに完全に統合されることができ、あるいは二つの開口９ａと９ｂの間の所望される他の点に配置されることができる。同様に、弾性固定要素１５をアクチュエーション・デバイス８上ではなく受け入れデバイス３上に、またさらには筐体カバー１の一部に留めたり、あるいはその一部として形成したりすることが可能である。さらに、前記円周状の突起のほかに、接続要素におけるラッチ要素として、対応する凹部を設けることが可能である。
【００２３】
筐体閉鎖具２の組立体は、アクチュエーション・デバイス８または受け入れデバイス３によって完全にまたは部分的に覆われている領域における手動の介入を必要としない。それにより、記載される筐体閉鎖具２は、特に簡単に、追加的なパーツやツールを使うことなく、取り付けられることができ、それにより取り付け時間が短縮され、それに伴う金銭的な支出が軽減される。
【００２４】
以上の実施例を含む実施形態に関し、さらに以下の付記を開示する。
（付記１）
電子装置の筐体のための筐体閉鎖具であって：
・前記筐体を開くことおよび／または閉じることのためのアクチュエーション・デバイスと；
・前記アクチュエーション・デバイスを前記筐体の一部に回転可能または枢動可能に留めるための受け入れデバイスと；
・前記アクチュエーション・デバイスを前記受け入れデバイスに機械的に結合するためのピン様の接続要素とを有しており、
前記ピン様の接続要素は、放射方向に延在する少なくとも一つのラッチ要素を有し、
前記アクチュエーション・デバイスおよび／または前記受け入れデバイスは、少なくとも一つの弾性固定要素を有し、該弾性固定要素は、前記ピン様の接続要素が前記アクチュエーション・デバイスの結合のために前記受け入れデバイスに完全に挿入されるときに、前記ピン様の接続要素の前記ラッチ要素が前記弾性固定要素とラッチするよう構成され、配置される、
筐体閉鎖具。
（付記２）
前記ピン様の接続要素および／または前記受け入れデバイスは、金属材料またはプラスチック材料で形成され、前記アクチュエーション・デバイスは、プラスチック材料で形成される、付記１記載の筐体閉鎖具。
（付記３）
前記弾性固定要素は、前記アクチュエーション・デバイスまたは前記受け入れデバイスに成形された固定リブとして形成され、前記放射方向に延在するラッチ要素は少なくとも一つの出っぱりまたはへこみを有する、付記１記載の筐体閉鎖具。
（付記４）
前記ラッチ要素は本質的には、挿入方向において前に位置する斜角面をもつ円周状の出っぱりとして形成される、付記１記載の筐体閉鎖具。
（付記５）
前記ピン様の接続要素は、挿入方向において前に位置する、第一の外径をもつ少なくとも一つの第一の部分と、挿入方向において該第一の部分の後に位置する、第二の外径をもつ少なくとも一つの第二の部分とを有しており、前記第二の外径は前記第一の外径より大きく、突き出ている前記ラッチ要素は前記第一の部分に配置される、付記１記載の筐体閉鎖具。
（付記６）
前記ピン様の接続要素は、挿入方向において前記第二の部分の後に位置する、第三の外径をもつ少なくとも一つの第三の部分を有し、前記第三の外径は前記第二の外径より大きい、付記５記載の筐体閉鎖具。
（付記７）
前記受け入れデバイスは、前記ピン様の接続要素を取り付けるための少なくとも二つの開口を有し、第一の開口の内径は本質的には前記第一の部分の外径に対応し、第二の開口の内径は本質的には前記第二の部分の外径に対応する、付記５記載の筐体閉鎖具。
（付記８）
前記受け入れデバイスは、本質的にU字形に形成されており、前記第一の開口は第一のU脚内に配置され、前記第二の開口は前記第一のU脚とは反対側の第二のU脚内に配置される、付記７記載の筐体閉鎖具。
（付記９）
前記弾性固定要素は、前記第一の開口もしくは前記第二の開口の領域内および／または前記第一の開口および前記第二の開口の間の領域内に配置される、付記７記載の筐体閉鎖具。
（付記１０）
ロック可能な側壁をもつ電子装置のコンピューター筐体においての付記１記載の筐体閉鎖具の使用であって、前記受け入れデバイスが前記側壁に固定され、アクチュエーション時に、前記アクチュエーション・デバイスが前記側壁のロックを解放する、使用。
【符号の説明】
【００２５】
１  筐体カバー
２  筐体閉鎖具
３  受け入れデバイス
４  表面領域
５ａ、５ｂ  脚部
６ａ、６ｂ  （受け入れデバイスの）開口
７  ピン様の接続要素
８  アクチュエーション・デバイス
９ａ、９ｂ  （アクチュエーション・デバイスの）開口
１０  ロック要素
１１  ラッチ要素
１２  第一の部分
１３  第二の部分
１４  第三の部分
１５  固定要素
１６  斜角面
Ａ、Ｂ  部分拡大図
Ｅ  （接続要素の）挿入方向
Ｒ  （アクチュエーション・デバイスの）アクチュエーション方向
【図１】
2018125532.tif 000003
【図２】
2018125532.tif 000004
【図３】
2018125532.tif 000005
【図４】
2018125532.tif 000006